(57)【要約】【課題】画像が混在する表示範囲を小さくしても表示が明るく、かつ指向性表示と非指向性表示とに適用可能な電気光学装置およびその製造方法、ならびに電子機器を提供すること。【解決手段】液晶装置１００は、表示面１ａと、サブ画素４Ｒとサブ画素４Ｌとが配列された画素行７と、を有し、サブ画素４Ｒが射出する光で構成される第１の画像と、サブ画素４Ｌが射出する光で構成される第２の画像と、を表示面１ａに表示可能な液晶パネル１と、液晶パネル１の表示面１ａ側に配置され、遮光部７６を電子制御により発生させるバリアー部５と、を備え、バリアー部５が発生させる遮光部７６は、サブ画素４Ｒに重なる第１の遮光部７６ａと、サブ画素４Ｌに重なる第２の遮光部７６ｂと、を有し、第１の遮光部７６ａと第２の遮光部７６ｂとは、表示面１ａに対して異なる方向に傾斜している。【選択図】図８
2010169721.tif 000002
【特許請求の範囲】
【請求項１】
表示面と、第１の画素と第２の画素とが配列された画素行と、を有し、前記第１の画素が射出する光で構成される第１の画像と、前記第２の画素が射出する光で構成される第２の画像と、を前記表示面に表示可能な電気光学パネルと、
前記電気光学パネルの前記表示面側に配置され、遮光部を電子制御により発生させる調光部と、を備え、
前記調光部が発生させる前記遮光部は、前記第１の画素に重なる第１の遮光部と、前記第２の画素に重なる第２の遮光部と、を有し、
前記第１の遮光部と前記第２の遮光部とは、前記表示面に対して異なる方向に傾斜していることを特徴とする電気光学装置。
【請求項２】
請求項１に記載の電気光学装置であって、
前記調光部は、
第１の基板と、
前記第１の基板に対向配置された第２の基板と、
前記第１の基板の前記第２の基板側に配置されており、前記第１の画素に対応する第１の傾斜面と、前記第２の画素に対応し前記第１の傾斜面とは異なる方向に傾斜する第２の傾斜面と、を有する透光層と、
前記透光層の前記第１の傾斜面と前記第２の傾斜面との表面に形成された第１の電極と、
前記第１の基板または第２の基板上に形成された第２の電極と、
前記第１の基板と前記第２の基板との間に配置された光学調整層と、を備え、
前記第１の電極と前記第２の電極との間の電位差により、前記光学調整層において前記第１の電極の表面近傍の光の透過率を変化させることで、前記第１の傾斜面に重なる前記第１の遮光部と前記第２の傾斜面に重なる前記第２の遮光部とを発生させることを特徴とする電気光学装置。
【請求項３】
請求項２に記載の電気光学装置であって、
前記光学調整層は、電気泳動粒子を含むことを特徴とする電気光学装置。
【請求項４】
請求項１から３のいずれか一項に記載の電気光学装置であって、
前記調光部は、前記第１の画素および前記第２の画素のうち所定の画素に重なる前記遮光部を選択的に発生させることを特徴とする電気光学装置。
【請求項５】
請求項１から４のいずれか一項に記載の電気光学装置であって、
前記第１の画素と前記第２の画素とは、前記画素行に沿って配列された３つの異なる色のサブ画素で構成されており、
前記第１の遮光部と前記第２の遮光部とは、前記サブ画素毎に配置されていることを特徴とする電気光学装置。
【請求項６】
請求項１から５のいずれか一項に記載の電気光学装置であって、
前記第１の遮光部と前記第２の遮光部とは、前記画素行に沿って互いに対向する向きに傾斜しているとともに、前記画素行および前記画素行と交差する方向に位置する画素列のうちの少なくとも一方において交互に配置されていることを特徴とする電気光学装置。
【請求項７】
請求項６に記載の電気光学装置であって、
前記第１の遮光部と前記第２の遮光部とは、前記画素行において交互に配置されていることを特徴とする電気光学装置。
【請求項８】
請求項６に記載の電気光学装置であって、
前記第１の遮光部と前記第２の遮光部とは、前記画素列において交互に配置されていることを特徴とする電気光学装置。
【請求項９】
請求項６に記載の電気光学装置であって、
前記第１の遮光部と前記第２の遮光部とは、前記画素行および前記画素列において交互に配置されていることを特徴とする電気光学装置。
【請求項１０】
請求項１から９のいずれか一項に記載の電気光学装置であって、
前記第１の遮光部は前記第１の画素の領域に平面的に重なり、前記第２の遮光部は前記第２の画素の領域に平面的に重なっていることを特徴とする電気光学装置。
【請求項１１】
請求項１から９のいずれか一項に記載の電気光学装置であって、
前記第１の遮光部の前記画素行に沿った方向における幅と前記第２の遮光部の前記画素行に沿った方向における幅とは、前記画素行における中央部から離れるにしたがって小さくなっていることを特徴とする電気光学装置。
【請求項１２】
請求項１から１１のいずれか一項に記載の電気光学装置であって、
前記第１の遮光部の前記表示面に対する傾斜角度と、前記第２の遮光部の前記表示面に対する傾斜角度と、は互いに異なることを特徴とする電気光学装置。
【請求項１３】
請求項１から１２のいずれか一項に記載の電気光学装置を備えたことを特徴とする電子機器。
【請求項１４】
表示面と、第１の画素と第２の画素とが配列された画素行と、を有し、前記第１の画素が射出する光で構成される第１の画像と、前記第２の画素が射出する光で構成される第２の画像と、を前記表示面に表示可能な電気光学パネルと、
前記電気光学パネルの前記表示面側に配置され、遮光部を電子制御により発生させる調光部と、を備えた電気光学装置の製造方法であって、
前記調光部を製造する工程は、
第１の基板上に、前記第１の画素に対応する第１の傾斜面と、前記第２の画素に対応し前記第１の傾斜面とは異なる方向に傾斜する第２の傾斜面と、を有する透光層を形成する工程と、
前記透光層の前記第１の傾斜面と前記第２の傾斜面との表面に第１の電極を形成する工程と、
前記第１の基板または第２の基板上に第２の電極を形成する工程と、
前記第１の基板と前記第２の基板とを対向させて配置し、前記第１の基板と前記第２の基板との間に光の透過率を変化させることが可能な光学調整層を配置する工程と、を含むことを特徴とする電気光学装置の製造方法。
【請求項１５】
請求項１４に記載の電気光学装置の製造方法であって、
前記光学調整層は、電気泳動粒子を含むことを特徴とする電気光学装置の製造方法。
【請求項１６】
請求項１４または１５に記載の電気光学装置の製造方法であって、
前記第１の画素と前記第２の画素とは、前記画素行に沿って配列された３つの異なる色のサブ画素で構成されており、
前記透光層を形成する工程では、前記第１の傾斜面と前記第２の傾斜面とを前記サブ画素毎に形成することを特徴とする電気光学装置の製造方法。
【請求項１７】
請求項１４から１６のいずれか一項に記載の電気光学装置の製造方法であって、
前記透光層を形成する工程では、前記第１の傾斜面と前記第２の傾斜面とを、前記画素行に沿って互いに対向する向きに形成するとともに、前記画素行および前記画素行と交差する方向に位置する画素列のうちの少なくとも一方において交互に配置することを特徴とする電気光学装置の製造方法。
【請求項１８】
請求項１７に記載の電気光学装置の製造方法であって、
前記第１の傾斜面と前記第２の傾斜面とを、前記画素行において交互に配置することを特徴とする電気光学装置の製造方法。
【請求項１９】
請求項１７に記載の電気光学装置の製造方法であって、
前記第１の傾斜面と前記第２の傾斜面とを、前記画素列において交互に配置することを特徴とする電気光学装置の製造方法。
【請求項２０】
請求項１７に記載の電気光学装置の製造方法であって、
前記第１の傾斜面と前記第２の傾斜面とを、前記画素行および前記画素列において交互に配置することを特徴とする電気光学装置の製造方法。
【請求項２１】
請求項１４から２０のいずれか一項に記載の電気光学装置の製造方法であって、
前記透光層を形成する工程では、前記第１の傾斜面を前記第１の画素の領域に平面的に重なるように形成するとともに、前記第２の傾斜面を前記第２の画素の領域に平面的に重なるように形成し、
前記第１の電極を形成する工程では、前記第１の電極を前記第１の画素の領域と前記第２の画素の領域とに平面的に重なるように形成することを特徴とする電気光学装置の製造方法。
【請求項２２】
請求項１４から２０のいずれか一項に記載の電気光学装置の製造方法であって、
前記第１の電極を形成する工程では、前記第１の電極の前記画素行に沿った方向における幅を、前記画素行における中央部から離れるにしたがって小さく形成することを特徴とする電気光学装置の製造方法。
【請求項２３】
請求項１４から２２のいずれか一項に記載の電気光学装置の製造方法であって、
前記透光層を形成する工程では、前記第１の傾斜面と前記第２の傾斜面との前記表示面に対する傾斜角度を、互いに異ならせて形成することを特徴とする電気光学装置の製造方法。
【発明の詳細な説明】
【技術分野】
【０００１】
本発明は、電気光学装置およびその製造方法、ならびに電子機器に関する。
【背景技術】
【０００２】
電気光学パネルに開口部を有する遮光性の光学素子を重ねることで、２つ以上の異なる方向に異なる画像を指向性表示できることが知られている（例えば特許文献１）。図２８は、指向性表示が可能な電気光学装置の模式断面図である。電気光学パネルとしての液晶パネル１のサブ画素４Ｒ，４Ｌからは、異なる画像の表示に寄与する光が射出される。以下では、サブ画素４Ｒにより表示される画像を第１の画像、サブ画素４Ｌにより表示される画像を第２の画像とも呼ぶ。
【０００３】
液晶パネル１に対向する位置には、開口部９７を有する光学素子９１が液晶パネル１の表示面１ａに略平行に配置されている。光学素子９１は、所謂視差バリアーである。サブ画素４Ｒから射出され、開口部９７を通過した光は、図２８中右寄りに偏在する表示角度範囲３Ｒにおいて視認される。同様に、サブ画素４Ｌから射出され、開口部９７を通過した光は、図２８中左寄りに偏在する表示角度範囲３Ｌにおいて視認される。そして、表示角度範囲３Ｒのうち表示角度範囲ＶＲでは、サブ画素４Ｒからの光のみが視認され、表示角度範囲３Ｌのうち表示角度範囲ＶＬでは、サブ画素４Ｌからの光のみが視認される。よって、表示角度範囲ＶＲでは第１の画像のみが視認され、表示角度範囲ＶＬでは第２の画像のみが視認される。また、表示角度範囲ＶＣでは、第１の画像および第２の画像の双方が視認される。
【０００４】
こうした指向性表示が可能な電気光学装置によれば、例えば、表示角度範囲ＶＲ，ＶＬに異なる人物を位置させることにより、第１の画像と第２の画像とを当該異なる人物に同時に視認させることができる。あるいは、表示角度範囲ＶＲ，ＶＬにそれぞれ右目、左目が位置するように構成すれば、第１の画像が右目に入射し、第２の画像が左目に入射することとなるため、立体表示を行うことができる。
【０００５】
【特許文献１】特許第３０９６６１３号公報
【発明の開示】
【発明が解決しようとする課題】
【０００６】
上記の構成において、第１の画像と第２の画像とが混在する表示角度範囲ＶＣを小さくするには、開口部９７の幅を小さくすればよい。光学的作用を無視すれば、開口部９７の幅をサブ画素４Ｌ，４Ｒを区画する遮光層３２の幅以下にすることで、表示角度範囲ＶＣをゼロにできる。しかしながら、開口部９７の幅を小さくすればするほど開口部９７を通過する光の量が少なくなるので、表示角度範囲ＶＣをほぼゼロにすると表示角度範囲ＶＬ，ＶＲで視認される表示が非常に暗くなってしまうという課題があった。
【０００７】
また、上記の構成においては、液晶パネル１で非指向性の２次元画像を表示させる場合、視差バリアーである光学素子９１が配置されているため、サブ画素４（４Ｒ，４Ｌ）から射出された光が視認される表示角度範囲が限定されるとともに、表示が暗くなってしまうという課題があった。
【課題を解決するための手段】
【０００８】
本発明は、上述の課題の少なくとも一部を解決するためになされたものであり、以下の形態または適用例として実現することが可能である。
【０００９】
［適用例１］本適用例に係る電気光学装置は、表示面と、第１の画素と第２の画素とが配列された画素行と、を有し、前記第１の画素が射出する光で構成される第１の画像と、前記第２の画素が射出する光で構成される第２の画像と、を前記表示面に表示可能な電気光学パネルと、前記電気光学パネルの前記表示面側に配置され、遮光部を電子制御により発生させる調光部と、を備え、前記調光部が発生させる前記遮光部は、前記第１の画素に重なる第１の遮光部と、前記第２の画素に重なる第２の遮光部と、を有し、前記第１の遮光部と前記第２の遮光部とは、前記表示面に対して異なる方向に傾斜していることを特徴とする。
【００１０】
この構成によれば、第１の遮光部と第２の遮光部とを発生させることにより調光部が視差バリアーとして機能し、第１の画像と第２の画像とを互いに異なる表示角度範囲に指向性表示することができる。ここで、第１の画素に重なる第１の遮光部と第２の画素に重なる第２の遮光部とが電気光学パネルの表示面に対して傾斜して配置されている。このため、遮光部が表示面に平行に配置されている場合に比べて、第１の遮光部および第２の遮光部の傾斜面に沿う方向に通過する光が存在する。つまり、第１の画素または第２の画素に平面的に重なる開口部の幅が同じであっても、遮光部が表示面に平行に配置されている場合よりも開口部を通過する光の量を多くすることができる。これにより、第１の画像および第２の画像の双方が視認される表示角度範囲を小さくするために開口部の幅を小さくしても、遮光部が表示面に平行に配置されている場合よりも明るい表示を得ることができる。また、第１の遮光部および第２の遮光部が電気光学パネルの表示面に対して傾斜して配置されているので、第１の遮光部および第２の遮光部の幅だけでなく傾斜角度によっても表示角度範囲を制御できる。この結果、遮光部が表示面に平行に配置されている場合に比べて、より高品質な指向性表示を得ることができる。
【００１１】
また、第１の遮光部と第２の遮光部との発生を停止すれば、調光部の視差バリアーとしての機能が停止するので、指向性のない２次元画像を表示することができる。これにより、指向性表示と非指向性表示とに適用可能な電気光学装置を提供できる。
【００１２】
［適用例２］上記適用例に係る電気光学装置であって、前記調光部は、第１の基板と、前記第１の基板に対向配置された第２の基板と、前記第１の基板の前記第２の基板側に配置されており、前記第１の画素に対応する第１の傾斜面と、前記第２の画素に対応し前記第１の傾斜面とは異なる方向に傾斜する第２の傾斜面と、を有する透光層と、前記透光層の前記第１の傾斜面と前記第２の傾斜面との表面に形成された第１の電極と、前記第１の基板または第２の基板上に形成された第２の電極と、前記第１の基板と前記第２の基板との間に配置された光学調整層と、を備え、前記第１の電極と前記第２の電極との間の電位差により、前記光学調整層において前記第１の電極の表面近傍の光の透過率を変化させることで、前記第１の傾斜面に重なる前記第１の遮光部と前記第２の傾斜面に重なる前記第２の遮光部とを発生させてもよい。
【００１３】
この構成によれば、第１の傾斜面と第２の傾斜面との表面に形成された第１の電極の表面近傍の光の透過率を変化させることで、第１の傾斜面に沿って第１の遮光部が発生し、第１の傾斜面とは異なる方向に傾斜している第２の傾斜面に沿って第２の遮光部が発生する。これにより、第１の遮光部と第２の遮光部とを、表示面に対して異なる方向に傾斜させて発生させることができる。
【００１４】
［適用例３］上記適用例に係る電気光学装置であって、前記光学調整層は、電気泳動粒子を含んでいてもよい。
【００１５】
この構成によれば、第１の電極と第２の電極との間の電位差により電気泳動粒子を第１の電極の表面に移動させることで、光学調整層における光の透過率を変化させることができる。
【００１６】
［適用例４］上記適用例に係る電気光学装置であって、前記調光部は、前記第１の画素および前記第２の画素のうち所定の画素に重なる前記遮光部を選択的に発生させてもよい。
【００１７】
この構成によれば、第１の遮光部と第２の遮光部とを所定の位置に選択的に発生させることで、電気光学パネルで表示する画像に応じて調光部の視差バリアーとしての構成を異ならせることができる。
【００１８】
［適用例５］上記適用例に係る電気光学装置であって、前記第１の画素と前記第２の画素とは、前記画素行に沿って配列された３つの異なる色のサブ画素で構成されており、前記第１の遮光部と前記第２の遮光部とは、前記サブ画素毎に配置されていてもよい。
【００１９】
この構成によれば、第１の画像と第２の画像とをサブ画素毎に指向性表示することができる。
【００２０】
［適用例６］上記適用例に係る電気光学装置であって、前記第１の遮光部と前記第２の遮光部とは、前記画素行に沿って互いに対向する向きに傾斜しているとともに、前記画素行および前記画素行と交差する方向に位置する画素列のうちの少なくとも一方において交互に配置されていてもよい。
【００２１】
この構成によれば、第１の画像と第２の画像とを、行方向および列方向のうちの少なくとも一方向において交互に表示させることができる。
【００２２】
［適用例７］上記適用例に係る電気光学装置であって、前記第１の遮光部と前記第２の遮光部とは、前記画素行において交互に配置されていてもよい。
【００２３】
この構成によれば、第１の画像と第２の画像とを行方向において交互に表示させることができる。
【００２４】
［適用例８］上記適用例に係る電気光学装置であって、前記第１の遮光部と前記第２の遮光部とは、前記画素列において交互に配置されていてもよい。
【００２５】
この構成によれば、第１の画像と第２の画像とを列方向において交互に表示させることができる。
【００２６】
［適用例９］上記適用例に係る電気光学装置であって、前記第１の遮光部と前記第２の遮光部とは、前記画素行および前記画素列において交互に配置されていてもよい。
【００２７】
この構成によれば、第１の画像と第２の画像とを、行方向および列方向において交互に表示させることができる。
【００２８】
［適用例１０］上記適用例に係る電気光学装置であって、前記第１の遮光部は前記第１の画素の領域に平面的に重なり、前記第２の遮光部は前記第２の画素の領域に平面的に重なっていてもよい。
【００２９】
この構成によれば、第１の画素および第２の画素から射出される光を開口部から通過させながら表示面の法線方向に向かう光を遮光部によりほぼ遮断できる。これにより、第１の画像および第２の画像の双方が視認される表示角度範囲をほぼゼロにすることができる。
【００３０】
［適用例１１］上記適用例に係る電気光学装置であって、前記第１の遮光部の前記画素行に沿った方向における幅と前記第２の遮光部の前記画素行に沿った方向における幅とは、前記画素行における中央部から離れるにしたがって小さくなっていてもよい。
【００３１】
この構成によれば、開口部の幅が行方向における中央部から離れるにしたがって大きくなる。このため、行方向における中央部から離れるにしたがって第１の画像および第２の画像の表示角度範囲が大きくなる。これにより、観察側における表示面からの距離がより短くても第１の画像または第２の画像を視認するのに適した視点が得られる。
【００３２】
［適用例１２］上記適用例に係る電気光学装置であって、前記第１の遮光部の前記表示面に対する傾斜角度と、前記第２の遮光部の前記表示面に対する傾斜角度と、は互いに異なっていてもよい。
【００３３】
この構成によれば、第１の画像の表示角度範囲と第２の画像の表示角度範囲とを互いに異ならせることができる。これにより、第１の画像と第２の画像とのうちの一方の表示角度範囲を他方の表示角度範囲よりも大きくすること、または小さくすることができる。
【００３４】
［適用例１３］本適用例に係る電子機器は、上記に記載の電気光学装置を備えたことを特徴とする。
【００３５】
この構成によれば、電子機器は、上記の電気光学装置を表示部として有しているので、より高品質な指向性表示が得られるとともに、指向性表示と非指向性表示とに適用可能である。
【００３６】
［適用例１４］本適用例に係る電気光学装置の製造方法は、表示面と、第１の画素と第２の画素とが配列された画素行と、を有し、前記第１の画素が射出する光で構成される第１の画像と、前記第２の画素が射出する光で構成される第２の画像と、を前記表示面に表示可能な電気光学パネルと、前記電気光学パネルの前記表示面側に配置され、遮光部を電子制御により発生させる調光部と、を備えた電気光学装置の製造方法であって、前記調光部を製造する工程は、第１の基板上に、前記第１の画素に対応する第１の傾斜面と、前記第２の画素に対応し前記第１の傾斜面とは異なる方向に傾斜する第２の傾斜面と、を有する透光層を形成する工程と、前記透光層の前記第１の傾斜面と前記第２の傾斜面との表面に第１の電極を形成する工程と、前記第１の基板または第２の基板上に第２の電極を形成する工程と、前記第１の基板と前記第２の基板とを対向させて配置し、前記第１の基板と前記第２の基板との間に光の透過率を変化させることが可能な光学調整層を配置する工程と、を含むことを特徴とする。
【００３７】
この方法によれば、第１の傾斜面と第２の傾斜面との表面に形成された第１の電極の表面近傍の光の透過率を変化させることで、第１の傾斜面に沿って第１の遮光部を発生させ、第１の傾斜面とは異なる方向に傾斜している第２の傾斜面に沿って第２の遮光部を発生させることができる。このため、調光部が視差バリアーとして機能するので、第１の画像と第２の画像とを互いに異なる表示角度範囲に指向性表示する電気光学装置を製造できる。ここで、第１の遮光部と第２の遮光部とは電気光学パネルの表示面に対して傾斜しているので、遮光部が表示面に平行に配置されている場合に比べて、第１の遮光部および第２の遮光部の傾斜面に沿う方向に通過する光が存在する。つまり、第１の画素または第２の画素に平面的に重なる開口部の幅が同じであっても、遮光部が表示面に平行に配置されている場合よりも開口部を通過する光の量を多くすることができる。これにより、第１の画像および第２の画像の双方が視認される表示角度範囲を小さくするために開口部の幅を小さくしても、遮光部が表示面に平行に配置されている場合よりも明るい表示を得ることができる。また、第１の遮光部および第２の遮光部が電気光学パネルの表示面に対して傾斜して配置されているので、第１の遮光部および第２の遮光部の幅だけでなく傾斜角度によっても表示角度範囲を制御できる。この結果、遮光部が表示面に平行に配置されている場合に比べて、より高品質な指向性表示が得られる電気光学装置を製造することができる。
【００３８】
また、第１の遮光部と第２の遮光部との発生を停止すれば、調光部の視差バリアーとしての機能が停止するので、指向性のない２次元画像を表示することができる。これにより、指向性表示と非指向性表示とに適用可能な電気光学装置を製造することができる。
【００３９】
［適用例１５］上記適用例に係る電気光学装置の製造方法であって、前記光学調整層は、電気泳動粒子を含んでいてもよい。
【００４０】
この方法によれば、第１の電極と第２の電極との間の電位差により電気泳動粒子を第１の電極の表面に移動させることで、第１の電極の表面近傍における光の透過率を変化させて、第１の遮光部と第２の遮光部とを発生させることができる。
【００４１】
［適用例１６］上記適用例に係る電気光学装置の製造方法であって、前記第１の画素と前記第２の画素とは、前記画素行に沿って配列された３つの異なる色のサブ画素で構成されており、前記透光層を形成する工程では、前記第１の傾斜面と前記第２の傾斜面とを前記サブ画素毎に形成してもよい。
【００４２】
この方法によれば、サブ画素毎に形成された第１の傾斜面と第２の傾斜面との表面に第１の電極を形成することで、第１の遮光部と第２の遮光部とをサブ画素毎に発生させることができる。これにより、第１の画像と第２の画像とをサブ画素毎に指向性表示する電気光学装置を製造できる。
【００４３】
［適用例１７］上記適用例に係る電気光学装置の製造方法であって、前記透光層を形成する工程では、前記第１の傾斜面と前記第２の傾斜面とを、前記画素行に沿って互いに対向する向きに形成するとともに、前記画素行および前記画素行と交差する方向に位置する画素列のうちの少なくとも一方において交互に配置してもよい。
【００４４】
この方法によれば、第１の遮光部と第２の遮光部とを、画素行に沿って互いに対向する向きに、かつ、画素行および画素行と交差する方向に位置する画素列のうちの少なくとも一方において交互に位置するように発生させることができる。これにより、第１の画像と第２の画像とを、行方向および列方向のうちの少なくとも一方向において交互に表示する電気光学装置を製造できる。
【００４５】
［適用例１８］上記適用例に係る電気光学装置の製造方法であって、前記第１の傾斜面と前記第２の傾斜面とを、前記画素行において交互に配置してもよい。
【００４６】
この方法によれば、第１の画像と第２の画像とを行方向において交互に表示する電気光学装置を製造できる。
【００４７】
［適用例１９］上記適用例に係る電気光学装置の製造方法であって、前記第１の傾斜面と前記第２の傾斜面とを、前記画素列において交互に配置してもよい。
【００４８】
この方法によれば、第１の画像と第２の画像とを列方向において交互に表示する電気光学装置を製造できる。
【００４９】
［適用例２０］上記適用例に係る電気光学装置の製造方法であって、前記第１の傾斜面と前記第２の傾斜面とを、前記画素行および前記画素列において交互に配置してもよい。
【００５０】
この方法によれば、第１の画像と第２の画像とを、行方向および列方向において交互に表示する電気光学装置を製造できる。
【００５１】
［適用例２１］上記適用例に係る電気光学装置の製造方法であって、前記透光層を形成する工程では、前記第１の傾斜面を前記第１の画素の領域に平面的に重なるように形成するとともに、前記第２の傾斜面を前記第２の画素の領域に平面的に重なるように形成し、前記第１の電極を形成する工程では、前記第１の電極を前記第１の画素の領域と前記第２の画素の領域とに平面的に重なるように形成してもよい。
【００５２】
この方法によれば、遮光部を、第１の画素の領域と第２の画素の領域とに平面的に重なるように発生させることができる。このため、第１の画素および第２の画素から射出される光を開口部から通過させながら表示面の法線方向に向かう光を遮光部によりほぼ遮断できる。これにより、第１の画像および第２の画像の双方が視認される表示角度範囲をほぼゼロにすることができる。
【００５３】
［適用例２２］上記適用例に係る電気光学装置の製造方法であって、前記第１の電極を形成する工程では、前記第１の電極の前記画素行に沿った方向における幅を、前記画素行における中央部から離れるにしたがって小さく形成してもよい。
【００５４】
この方法によれば、発生する遮光部の幅が行方向における中央部から離れるにしたがって小さくなるので、開口部の幅は行方向における中央部から離れるにしたがって大きくなる。このため、行方向における中央部から離れるにしたがって第１の画像および第２の画像の表示角度範囲が大きくなる。これにより、表示面からの距離がより短くても第１の画像または第２の画像を視認するのに適した視点が得られる電気光学装置を製造することができる。
【００５５】
［適用例２３］上記適用例に係る電気光学装置の製造方法であって、前記透光層を形成する工程では、前記第１の傾斜面と前記第２の傾斜面との前記表示面に対する傾斜角度を、互いに異ならせて形成してもよい。
【００５６】
この方法によれば、発生する第１の遮光部と第２の遮光部との表示面に対する傾斜角度が互いに異なるので、第１の画像の表示角度範囲と第２の画像の表示角度範囲とを互いに異ならせることができる。これにより、第１の画像と第２の画像とのうちの一方の表示角度範囲が他方の表示角度範囲よりも大きい、または小さい電気光学装置を製造することができる。
【発明を実施するための最良の形態】
【００５７】
以下に、本実施の形態について図面を参照して説明する。なお、参照する各図面において、構成をわかりやすく示すため、各構成要素の層厚や寸法の比率、角度等は適宜異ならせてある。また、参照する各図面において、素子、配線、接続部等を一部省略してある。
【００５８】
（第１の実施形態）
＜液晶装置＞
まず、第１の実施形態に係る電気光学装置としての液晶装置の構成について図を参照して説明する。図１は、第１の実施形態に係る液晶装置の構成を示す図である。詳しくは、図１（ａ）は斜視図であり、図１（ｂ）は図１（ａ）中のＡ−Ａ’線に沿った断面図である。図２は、第１の実施形態に係る液晶装置の表示領域の拡大平面図である。詳しくは、液晶装置を観察側から見た図である。なお、本明細書では、液晶装置の観察側表面の法線方向から見ることを「平面視」とも呼ぶ。
【００５９】
本実施形態に係る電気光学装置としての液晶装置は、スイッチング素子としてＴＦＴ（Thin Film Transistor：薄膜トランジスター）素子を備えたアクティブマトリックス型の液晶装置であるとともに、ＴＮ（Twisted Nematic）方式の透過型の液晶装置である。
【００６０】
図１に示すように、液晶装置１００は、電気光学パネルとしての液晶パネル１と、液晶パネル１上に配置された調光部としてのバリアー部５と、バックライト４６と、を備えている。以下では、液晶パネル１のバリアー部５側の方向を「観察側」とも呼び、バリアー部５とは反対側の方向を「背面側」とも呼ぶ。バリアー部５の観察側には偏光板４５が配置され、液晶パネル１の背面側には偏光板４４が配置されている。
【００６１】
液晶パネル１は、一対の基板としての素子基板１０と対向基板３０とを有している。対向基板３０は観察側に配置されており、素子基板１０は対向基板３０に対向配置されている。また、液晶パネル１は、観察側の表面に表示面１ａを有している。素子基板１０と対向基板３０とは、枠状のシール剤４１を介して貼り合わされている。素子基板１０、対向基板３０、およびシール剤４１によって囲まれた空間には、表示素子としての液晶層４０が配置されている。素子基板１０上には、液晶層４０を駆動するためのドライバーＩＣ４２が配置されている。偏光板４４の背面側には、バックライト４６が配置されている。液晶装置１００は、バックライト４６から入射した光を変調し、表示面１ａから観察側に透過させることによって、表示領域２において表示を行う。
【００６２】
バリアー部５は、基板５０と基板６０とを有している。基板６０は観察側に配置されており、基板５０は基板６０に対向配置されている。基板５０と基板６０とは、枠状のシール部材７１を介して貼り合わされている。基板５０、基板６０、およびシール部材７１によって囲まれた空間には、光学調整層としての電気泳動層７０が配置されている。バリアー部５は、遮光部７６を電子制御により発生させることで、２つ以上の異なる方向に異なる画像を指向性表示する視差バリアーとして機能する。
【００６３】
図２に示すように、液晶パネル１は、マトリックス状に配置された、平面形状が矩形のサブ画素４ｒ，４ｇ，４ｂを有しており、これらはそれぞれ赤（ｒ）、緑（ｇ）、青（ｂ）の表示に寄与する（以下では、対応する色を区別しない場合には単にサブ画素４とも呼ぶ）。３つの異なる色のサブ画素４ｒ，４ｇ，４ｂで、一つの画素６が構成される。画素６、すなわちサブ画素４ｒ，４ｇ，４ｂは、一つの方向にこの順に繰り返し配置されて、画素行７を構成している。
【００６４】
サブ画素４は、画素行７に直交する方向においては、同一の色に対応するサブ画素４が一列にストライプ状に並ぶように配置されて、画素列８を構成している。隣り合うサブ画素４同士の間には、遮光性の樹脂からなる遮光層３２が配置されている。つまり、遮光層３２に囲まれた領域がサブ画素４の領域である。なお、図２では、バリアー部５の図示を省略している。
【００６５】
次に、液晶装置１００の詳細な構成について図を参照して説明する。図３および図４は、第１の実施形態に係る液晶装置１００の構成を説明する図である。詳しくは、図３は、図２中のＢ−Ｂ’線で示す画素行７に沿った方向の断面図であり、液晶パネルの構成を示す図である。図４は、図２中のＢ−Ｂ’線で示す画素行７に沿った方向の断面図であり、バリアー部の構成を示す図である。図５および図６は、観察側から見たバリアー部の電極の構成を示す平面図である。
【００６６】
＜液晶パネル＞
まず、液晶パネル１の構成について、図３を参照して説明する。素子基板１０は、基板１１を基体として構成されており、基板１１上に、ＴＦＴ素子２０と、絶縁層２２と、絶縁層２４と、画素電極１６と、配向膜２８とを備えている。基板１１は、透光性を有する材料からなり、例えばガラスからなる。基板１１の材料は、石英や樹脂であってもよい。
【００６７】
基板１１の液晶層４０側には、ゲート電極２０ｇが形成されている。ゲート電極２０ｇは、同層に形成された走査線（図示しない）の一部である。絶縁層２２は、基板１１とゲート電極２０ｇとを覆うように形成されている。絶縁層２２は、例えばＳｉＯ2（酸化ケイ素）からなる。
【００６８】
絶縁層２２上には、半導体層２０ａとソース電極２０ｓとドレイン電極２０ｄとが形成されている。半導体層２０ａは、平面視でゲート電極２０ｇに重なる位置に形成されている。半導体層２０ａは、アモルファスシリコンやポリシリコン等の半導体からなる。ソース電極２０ｓは、データ線（図示しない）から分岐した部分であり、その一部が半導体層２０ａの一部を覆うように形成されている。ドレイン電極２０ｄは、一部が半導体層２０ａの一部を覆うように形成されている。ゲート電極２０ｇと半導体層２０ａとソース電極２０ｓとドレイン電極２０ｄとで、ＴＦＴ素子２０が構成される。
【００６９】
絶縁層２４は、ＴＦＴ素子２０および絶縁層２２の上に形成されている。絶縁層２４は、透光性を有する樹脂からなり、例えばポジ型の感光性アクリル樹脂からなる。
【００７０】
画素電極１６は、絶縁層２４上に形成されている。画素電極１６は、透光性を有する導電材料からなり、例えばＩＴＯ（Indium Tin Oxide）からなる。画素電極１６は、絶縁層２４に設けられたコンタクトホールを介してドレイン電極２０ｄに電気的に接続されている。
【００７１】
配向膜２８は、素子基板１０の液晶層４０に接する側、すなわち絶縁層２４と画素電極１６とを覆うように形成されている。配向膜２８は、例えばポリイミド樹脂からなる。配向膜２８の表面には、所定の方向にラビング処理等の配向処理が施されている。
【００７２】
次に、対向基板３０は、素子基板１０よりも観察側に位置している。対向基板３０は、基板３１を基体として構成されており、基板３１上に、遮光層３２と、カラーフィルター層３４と、オーバーコート層３５と、共通電極１８と、配向膜３６とを備えている。基板３１は、透光性を有する材料からなり、例えばガラスからなる。基板３１の材料は、石英や樹脂であってもよい。
【００７３】
遮光層３２とカラーフィルター層３４とは、基板３１の液晶層４０側に形成されている。遮光層３２は、所謂ブラックマトリックスであり、基板３１上の隣り合うサブ画素４同士の間の領域に配置されている。遮光層３２は、画素間領域からの光漏れを防止して表示のコントラストを向上させる役割を果たす。
【００７４】
カラーフィルター層３４は、サブ画素４の領域に対応して配置されている。カラーフィルター層３４は、例えばアクリル樹脂等からなり、サブ画素４ｒ，４ｇ，４ｂで表示するｒ、ｇ、ｂの各色に対応する色材を含有している。ここで、カラーフィルター層３４の観察側表面は、各サブ画素４において光が射出される表示面１ａとなる。オーバーコート層３５は、遮光層３２とカラーフィルター層３４とを覆うように形成されている。オーバーコート層３５は、透光性を有する樹脂からなる。
【００７５】
共通電極１８は、オーバーコート層３５上に形成されている。共通電極１８は、画素電極１６に平面的にほぼ重なる領域に、画素電極１６に対向するように配置されている。共通電極１８は、透光性を有する導電材料からなり、例えばＩＴＯからなる。共通電極１８は、画素電極１６との間に、素子基板１０および対向基板３０に垂直な方向の縦電界を発生させる。
【００７６】
配向膜３６は、対向基板３０の液晶層４０に接する側に、共通電極１８を覆うように形成されている。配向膜３６は、例えばポリイミド樹脂からなる。配向膜３６の表面には、配向膜２８の配向方向と略直交する方向に配向処理が施されている。
【００７７】
液晶層４０は、素子基板１０と対向基板３０との間に配置されている。液晶層４０において、画素電極１６と共通電極１８との間に電界が発生していない状態（オフ状態）では、液晶分子は配向処理面に対してほぼ水平に配向した状態となり、配向膜２８と配向膜３６とに施された配向処理によって略９０°ツイストしている。画素電極１６と共通電極１８との間に電界が発生している状態（オン状態）では、液晶分子は素子基板１０および対向基板３０に垂直な電界の方向に沿って立ち上がる。
【００７８】
＜バリアー部＞
次に、バリアー部５の構成について、図４を参照して説明する。基板５０は、対向基板３０よりも観察側に位置している。基板５０は、第１の基板としての基板５２を基体として構成されており、基板５２上に、透光層５４と第１の電極としての電極５６とを備えている。基板５０は、例えばＵＶ硬化型の透光性を有する接着剤等により、対向基板３０に接着されている。これにより、バリアー部５は液晶パネル１に固定されている。
【００７９】
基板５２は、透光性を有する材料からなり、例えばガラスからなる。基板５２の材料は、石英や樹脂であってもよい。透光層５４は、基板５２の基板６０に対向する側に配置されている。透光層５４は、例えばＵＶ硬化型の透光性を有する樹脂等からなる。透光層５４は、基板５２の屈折率に近い屈折率を有していることが好ましい。透光層５４には、表示面１ａに対して傾斜した、第１の傾斜面５４ａと第２の傾斜面５４ｂとが形成されている。
【００８０】
第１の傾斜面５４ａと第２の傾斜面５４ｂとは、各サブ画素４の領域に対応して配置されており、画素行７に沿って互いに対向する向きに傾斜している。第１の傾斜面５４ａと第２の傾斜面５４ｂとの傾斜方向の一端部は、基板５２側であって、平面視でサブ画素４の画素行７に沿った方向において対向する端部にそれぞれが位置している。第１の傾斜面５４ａと第２の傾斜面５４ｂとの傾斜方向の他端部は、基板６０側であって、平面視でサブ画素４の画素行７に沿った方向における略中央部に位置している。なお、透光層５４は画素列８（図２参照）に沿った方向にストライプ状に形成されており、透光層５４の各列はサブ画素４と同じ配置ピッチで配置されている。
【００８１】
電極５６は、透光層５４の基板６０側の表面に形成されている。電極５６は、透光性を有する導電材料からなり、例えばＩＴＯからなる。電極５６は、第１の電極部５６ａと第２の電極部５６ｂとを有している。第１の電極部５６ａは、第１の傾斜面５４ａ上に形成されている。第２の電極部５６ｂは、第２の傾斜面５４ｂ上に形成されている。第１の電極部５６ａと第２の電極部５６ｂとは、サブ画素４に重なっている。また、第１の電極部５６ａと第２の電極部５６ｂとは、表示面１ａに対して、画素行７に沿った方向に傾斜して配置されている。
【００８２】
基板６０は、基板５０よりも観察側に位置している。基板６０は、第２の基板としての基板６２を基体として構成されており、基板６２上に第２の電極としての電極６４を備えている。電極６４は、透光性を有する導電材料からなり、例えばＩＴＯからなる。電極６４は、電極５６に対向配置されている。
【００８３】
図５に示すように、第１の電極部５６ａと第２の電極部５６ｂとは、平面視で画素列８方向に沿って延在している。各画素列８に対して、一対の第１の電極部５６ａと第２の電極部５６ｂとが配置されている。つまり、サブ画素４毎に第１の電極部５６ａと第２の電極部５６ｂとが配置されている。第１の電極部５６ａと第２の電極部５６ｂとは、画素行７方向に、交互に配置されている。
【００８４】
図６に示すように、電極６４は、平面視で画素行７方向に沿って延在している。各画素行７に対して、一つの電極６４が配置されている。したがって、電極５６（第１の電極部５６ａ、第２の電極部５６ｂ）と電極６４とは、互いに交差しマトリックス状に配置されている。この構成により、電極５６（第１の電極部５６ａ、第２の電極部５６ｂ）と電極６４との間の所定位置に、電位差を発生させることができる。
【００８５】
図４に戻って、電気泳動層７０は基板５０と基板６０との間に配置されている。電気泳動層７０は、電気泳動粒子７４と分散媒７２とを含んでいる。電気泳動粒子７４は、分散媒７２中で電気泳動によって移動する性質を有する。電気泳動粒子７４は、分散媒７２中に安定に分散され、その粒径分布が小さいことが望ましい。また、電気泳動粒子７４の粒径は、光散乱効率が低下せず、電圧印加時において十分な応答速度が得られる範囲にあることが望ましい。電気泳動粒子７４の粒径は、例えば０．１μｍ〜５μｍ程度である。
【００８６】
電気泳動粒子７４は、単一の極性を有することが望ましい。電気泳動粒子７４の材料は、例えばアニリンブラック、カーボンブラック等の黒色顔料からなる粒子（高分子あるいはコロイド）であり、例えば正に帯電されている。これにより、電気泳動粒子７４は、電極５６と電極６４との間の電位差で発生する電界によって、分散媒７２中を移動することができる。また、電気泳動粒子７４は、電極５６と電極６４との間の電位差がなくなれば、移動を停止する。したがって、電極５６と電極６４との間には常時電圧が印加されていなくてもよい。
【００８７】
分散媒７２は、電気泳動粒子７４を分散させる媒質である。分散媒７２は、電気泳動粒子７４に対する溶解能が小さく、電気泳動粒子７４を安定に分散でき、イオンを含まず、かつ電圧印加によりイオンを生じない絶縁性のものが望ましい。分散媒７２の材料としては、例えば、ヘキサン、デカン、ヘキサデカン、ケロセン、トルエン、キシレン、オリーブ油、リン酸トリクレシル、イソプロパノール、トリクロロトリフルオロエタン、ジブロモテトラフルオロエタン、テトラクロロエチレン等を用いることができる。
【００８８】
また、分散媒７２には、揺変剤が添加されていてもよい。揺変剤とは、力が作用すると粘度が減少し静置すると粘度が元に戻る揺変性（thixotropy；チクソ性）を付与する添加剤である。分散媒７２に揺変剤を添加すると、電気泳動粒子７４が電気泳動しない静止状態では、分散媒７２はゼリー状の状態を維持し電気泳動粒子７４の移動を抑制する。一方、電気泳動粒子７４が電気泳動する泳動状態では、分散媒７２の流動性が増して液体のような流動性を示す。これにより、電気泳動粒子７４は、泳動状態では静止状態よりも動きやすくなり、移動が早く行える。そして、電気泳動粒子７４は、泳動状態が終了すると移動しにくくなり、静止した状態が保持される。
【００８９】
＜制御部＞
次に、液晶装置１００が備える制御部８０について図７を参照して説明する。図７は、制御部の概略構成を示すブロック図である。制御部８０は、ＣＰＵ８１と、ユーザーインターフェース（ＵＩ）処理部８２と、操作パネル８３と、リモートコントローラー（ＲＣ）８４と、画像処理部８５と、入力インターフェース（Ｉ／Ｆ）部８６と、を備えている。
【００９０】
入力インターフェース部８６には、画像再生装置（図示しない）等から指向性表示用の画像信号または非指向性表示用の画像信号が入力される。入力インターフェース部８６は、入力された画像信号を所定フォーマットの画像データとして画像処理部８５に渡す。画像処理部８５は、入力された画像データに基づいて、画像信号Ｓ１を第１駆動回路８７に出力する。ユーザーインターフェース処理部８２は、操作パネル８３やリモートコントローラー８４から入力される観察者からの指示をＣＰＵ８１に伝える。そして、ＣＰＵ８１は、観察者からの指示に従って、画像処理部８５や第２駆動回路８８等を制御する。
【００９１】
操作パネル８３及びリモートコントローラー８４には、指向性表示モードと非指向性表示モードとを切り替えるための表示モード切り替えスイッチ（図示しない）が設けられている。観察者は、この表示モード切り替えスイッチを操作することで、入力される画像の種類に応じて表示モードを指定（切り替え）することができる。
【００９２】
表示モードが切り替えられると、指定された表示モードの情報がユーザーインターフェース処理部８２からＣＰＵ８１に伝達される。そして、ＣＰＵ８１は、指定された表示モード信号Ｓ２を第２駆動回路８８に送信する。第２駆動回路８８は、受信した表示モード信号Ｓ２の示す表示モードに応じて、電極５６（第１の電極部５６ａ、第２の電極部５６ｂ）と電極６４とに駆動信号を出力する。
【００９３】
電極５６と電極６４とに駆動信号が出力されると、電極５６と電極６４との間の電位差により電界が発生し、電気泳動粒子７４が分散媒７２中を電気泳動して電極５６の表面に移動する。これにより、バリアー部５は、指向性表示モードにおいて視差バリアーとして機能する状態となり、非指向性表示モードにおいては視差バリアーとして機能しない状態となる。この結果、液晶装置１００は、指向性表示装置として使用できるとともに、非指向性表示装置としても使用することができる。
【００９４】
＜第１のバリアーパターン＞
次に、バリアー部５の動作について、図８および図９を参照して説明する。図８および図９は、第１のバリアーパターンを有するバリアー部を示す図である。詳しくは、図８は、図４においてバリアー部５が視差バリアーとして機能している状態を示す図である。図９（ａ）は図８に対応する模式断面図であり、図９（ｂ）は図２中のＣ−Ｃ’線に沿った模式断面図であり、図９（ｃ）は図２中のＤ−Ｄ’線に沿った模式断面図である。なお、図９（ａ），（ｂ），（ｃ）では、バリアー部５の要部以外の構成要素の図示を省略している。
【００９５】
液晶装置１００が指向性表示モードに切り替わると、第２駆動回路８８（図７参照）から出力された駆動信号により、電極５６と電極６４との間に電位差が発生する。本実施形態のバリアー部５は、電極５６（第１の電極部５６ａ、第２の電極部５６ｂ）と電極６４との間の所定位置に電位差を発生させることができる。
【００９６】
例えば、図８に示す画素行７（奇数行）に沿った方向には、電極５６（第１の電極部５６ａ）と電極６４との間に電位差が発生する。より具体的には、第１の電極部５６ａが電気泳動粒子７４と異なった極性となり、第２の電極部５６ｂと電極６４とが電気泳動粒子７４と同じ極性となる。そうすると、電気泳動粒子７４は、電気泳動粒子７４と極性が異なる第１の電極部５６ａに移動しその表面を覆う。この第１の電極部５６ａの表面を覆った電気泳動粒子７４により、第１の遮光部７６ａが構成される。第１の遮光部７６ａは、液晶パネル１から射出された光を反射あるいは吸収して遮断する。
【００９７】
図９（ａ）および図９（ｃ）に示す画素行７の奇数行においては、画素行７に沿って第１の遮光部７６ａが一列に配置される。図９（ｂ）に示す画素行７の偶数行においては、画素行７に沿って第２の遮光部７６ｂが一列に配置される。第２の遮光部７６ｂは、第２の電極部５６ｂの表面を覆った電気泳動粒子７４により構成される。第１の遮光部７６ａと第２の遮光部７６ｂとで、遮光部７６が構成される。
【００９８】
第１の遮光部７６ａは第１の傾斜面５４ａに沿って傾斜しており、第２の遮光部７６ｂは第２の傾斜面５４ｂに沿って傾斜している。したがって、第１の遮光部７６ａと第２の遮光部７６ｂとは、互いに対向する向きに傾斜している。画素列８に沿っては、画素列８の奇数列および偶数列において第１の遮光部７６ａと第２の遮光部７６ｂとが交互に繰り返し配置されている。ここでは、各画素行７および各画素列８における第１の遮光部７６ａと第２の遮光部７６ｂとの配置位置をバリアーパターンと呼び、図９（ａ），（ｂ），（ｃ）に示すバリアーパターンを第１のバリアーパターンと呼ぶ。
【００９９】
また、第１の傾斜面５４ａと第２の傾斜面５４ｂとのうち遮光部７６が配置されない傾斜面の側には、液晶パネル１から射出された光を通過させる開口部７７が構成される。サブ画素４から表示面１ａ側に射出され開口部７７を通過する光は、第１の画像または第２の画像のいずれかを構成する。第１の画像を構成する光を射出するサブ画素４をサブ画素４Ｒ、第２の画像を構成する光を射出するサブ画素４をサブ画素４Ｌとも呼ぶ。
【０１００】
画素行７の奇数行においては、開口部７７から第１の画像を構成するサブ画素４Ｒからの光が射出され、画素行７の偶数行においては、開口部７７から第２の画像を構成するサブ画素４Ｌからの光が射出される。したがって、画素行７の奇数行においては第１の画像が視認され、画素行７の偶数行においては第２の画像が視認される。これにより、指向性表示が行われる。
【０１０１】
図１０は、第１のバリアーパターンを有するバリアー部を備えた液晶装置の表示領域を観察側から見た平面図である。図１０に示すように、第１の画像を構成する光を射出する画素６を画素６Ｒ、第２の画像を構成する光を射出する画素６を画素６Ｌとも呼ぶ。３つの異なる色のサブ画素４Ｒ（４ｒ，４ｇ，４ｂ）で画素６Ｒが構成され、３つの異なる色のサブ画素４Ｌ（４ｒ，４ｇ，４ｂ）で画素６Ｌが構成される。画素６Ｒは第１の画素に対応し、画素６Ｌは第２の画素に対応する。
【０１０２】
Ｂ−Ｂ’線で示す画素行７に沿った方向には、サブ画素４Ｒが配置されている。Ｃ−Ｃ’線で示す画素行７に沿った方向には、サブ画素４Ｌが配置されている。Ｄ−Ｄ’線で示す画素行７以降は、同様に、サブ画素４Ｒが配置されている行とサブ画素４Ｌが配置されている行とが交互に配列されている。また、各画素列８に沿った方向には、サブ画素４Ｒとサブ画素４Ｌとが交互に配置されている。つまり、第１のバリアーパターンでは、画素行７に沿ってサブ画素４Ｒまたはサブ画素４Ｌのいずれかが一列に配置されており、画素列８に沿ってサブ画素４Ｒとサブ画素４Ｌとが交互に繰り返し配置されている。
【０１０３】
続いて、第１の実施形態に係る液晶装置１００の表示角度範囲について、図１１を参照して説明する。図１１は、第１の実施形態に係る液晶装置の表示角度範囲を説明する図である。詳しくは、図１１（ａ）は、図９（ａ）に対応しており、画素行７の奇数行におけるバリアー部５を模式的に示す断面図である。図１１（ｂ）は、図９（ｂ）に対応しており、画素行７の偶数行におけるバリアー部５を模式的に示す断面図である。なお、ここでは、バリアー部５の要部以外の構成要素の図示を省略している。
【０１０４】
図１１（ａ）に示すように、画素行７の奇数行においては、サブ画素４Ｒから射出されバリアー部５を通過して開口部７７から観察側に向かう光は、図の右方向に偏在する表示角度範囲３Ｒにおいて視認される。図１１（ｂ）に示すように、画素行７の偶数行においては、サブ画素４Ｌから射出されバリアー部５を通過して開口部７７から観察側に向かう光は、図の左方向に偏在する表示角度範囲３Ｌにおいて視認される。表示角度範囲３Ｒ，３Ｌは、サブ画素４Ｒ，４Ｌから射出された光が第１の遮光部７６ａまたは第２の遮光部７６ｂによって遮られない境界３ａ，３ｂ内の範囲である。
【０１０５】
図１１（ａ）には、図１１（ｂ）に示す表示角度範囲３Ｌを２点鎖線で示している。図１１（ａ）に示すように、表示角度範囲３Ｒは表示角度範囲３Ｌと異なる範囲を含む。したがって、開口部７７は、第１の画素（サブ画素４Ｒ）からの光を表示角度範囲３Ｒに通過させ、第２の画素（サブ画素４Ｌ）からの光を表示角度範囲３Ｒとは異なる表示角度範囲３Ｌに通過させる。
【０１０６】
そして、表示角度範囲３Ｒのうち表示角度範囲ＶＲでは、サブ画素４Ｒからの光のみが視認され、表示角度範囲３Ｌのうち表示角度範囲ＶＬでは、サブ画素４Ｌからの光のみが視認される。よって、表示角度範囲ＶＲでは第１の画像のみが視認され、表示角度範囲ＶＬでは第２の画像のみが視認される。また、表示角度範囲３Ｒと表示角度範囲３Ｌとが重なる表示角度範囲ＶＣでは、サブ画素４Ｒ，４Ｌの双方からの光が視認されるので、第１の画像と第２の画像との双方が視認される。
【０１０７】
このように、液晶装置１００は、第１の画像と第２の画像とを互いに異なる表示角度範囲に指向性表示することができる。表示角度範囲ＶＲ，ＶＬをより大きくし表示角度範囲ＶＣをより小さくすれば、第１の画像と第２の画像とを異なる人物に同時に視認させることができる。また、表示角度範囲ＶＲ，ＶＬをより接近させれば、第１の画像を右眼に入射させるとともに、第２の画像を左眼に入射させることが可能となり、立体表示を行うことができる。
【０１０８】
第１の実施形態に係るバリアー部で５は、第１の遮光部７６ａと第２の遮光部７６ｂとが表示面１ａに対して傾斜して配置されている。このため、第１の遮光部７６ａと第２の遮光部７６ｂとが表示面１ａに平行に配置されている従来の構成に比べて、第１の遮光部７６ａ（第１の傾斜面５４ａ）と第２の遮光部７６ｂ（第２の傾斜面５４ｂ）とに沿う方向に射出され遮光されずに通過する光が存在する。
【０１０９】
つまり、第１の画素または第２の画素に平面的に重なる開口部７７の幅が同じであっても、従来の構成に比べて、開口部７７の実質的な開口領域が大きくなり開口部７７を通過する光の量を多くすることができる。これにより、第１の画像および第２の画像の双方が視認される表示角度範囲ＶＣを小さくするために開口部７７の幅を小さくしても、従来の構成よりも明るい表示を得ることができる。
【０１１０】
なお、サブ画素４Ｒ，４Ｌから射出された光の一部は、開口部７７の端部において回折して回折光となり、開口部７７の外側に向かって進む。この回折光により、表示角度範囲ＶＣが回折光の分だけ大きくなり、表示角度範囲ＶＲ，ＶＬが小さくなる。しかしながら、バリアー部５では、各画素行７に沿って第１の画像または第２の画像のいずれか一方が視認されるので、両眼が画素行７に略平行に位置するように観察するのであれば、各画素行７に沿って第１の画像と第２の画像との双方が視認される従来の構成に比べて、回折光が実際の視感度に与える影響は少なくなる。
【０１１１】
次に、第１の実施形態に係るバリアー部５における表示角度範囲ＶＲ，ＶＬ，ＶＣを簡易的に算出してみる。図１１において、サブ画素４の画素行７方向における幅Ｗ１を、例えば７２．５μｍとし、バリアー部５の実質的な厚さＨを幅Ｗ１の１／２、すなわち３６．２５μｍとする。また、第１の遮光部７６ａおよび第２の遮光部７６ｂの観察側の端部は、平面視でサブ画素４の画素行７に沿った方向における中央部に位置しているものとする。つまり、観察側から表示面１ａの法線方向に投影された第１の遮光部７６ａおよび第２の遮光部７６ｂの幅Ｗ２が、幅Ｗ１の１／２、すなわち３６．２５μｍであるとする。なお、バリアー部５の実質的な厚さＨとは、表示面１ａの法線方向における遮光部７６の高さを意味する。また、ここでは、遮光層３２の幅および基板３１の厚さは考慮されていない。
【０１１２】
このような構成によれば、図１１（ａ）において、サブ画素４Ｒから射出された光が第１の遮光部７６ａによって遮られない境界３ｂと表示面１ａとがなす角度θ１は、第１の遮光部７６ａ（第１の傾斜面５４ａ）および第２の遮光部７６ｂ（第２の傾斜面５４ｂ）と表示面１ａとがなす角度と同じであり、４５°となる。また、図１１（ａ）において、サブ画素４Ｒから射出された光が第１の遮光部７６ａによって遮られない境界３ａと表示面１ａとがなす角度θ２は、１８．４°となる。一方、図１１（ｂ）においては、境界３ｂと表示面１ａとがなす角度が角度θ２（１８．４°）となり、境界３ａと表示面１ａとがなす角度が角度θ１（４５°）となる。
【０１１３】
表示角度範囲３Ｒ，３Ｌは、それぞれ１８０°−（θ１＋θ２）で求められ、ともに１１６．６°となる。また、表示角度範囲ＶＲ，ＶＬは、θ１−θ２で求められ、ともに２６．６°となり、表示角度範囲ＶＣは１８０°−２θ１で求められ、９０°となる。ここで、θ１をより大きくしてθ２をより小さくすれば、表示角度範囲ＶＲ，ＶＬは大きくなり、表示角度範囲ＶＣは小さくなる。θ１をより大きくしてθ２をより小さくするには、幅Ｗ１に対して幅Ｗ２をより大きくすればよい。
【０１１４】
なお、幅Ｗ２が幅Ｗ１の１／２のままでバリアー部５の実質的な厚さＨを小さくすると、角度θ１，θ２がともに小さくなるので、表示角度範囲３Ｒ，３Ｌは大きくなり、表示角度範囲ＶＲ，ＶＬは小さくなり、表示角度範囲ＶＣは大きくなる。
【０１１５】
＜第２のバリアーパターン＞
次に、第２のバリアーパターンについて、図１２および図１３を参照して説明する。図１２は、第２のバリアーパターンを有するバリアー部を示す図である。詳しくは、図１２（ａ）は図２中のＢ−Ｂ’線に沿った模式断面図であり、図１２（ｂ）は図２中のＣ−Ｃ’線に沿った模式断面図であり、図１２（ｃ）は図２中のＤ−Ｄ’線に沿った模式断面図である。また、図１３は、第２のバリアーパターンを有するバリアー部を備えた液晶装置の表示領域を観察側から見た平面図である。第２のバリアーパターンでは、第１の遮光部７６ａおよび第２の遮光部７６ｂの配置が第１のバリアーパターンと異なっている。
【０１１６】
図１２（ａ），（ｂ），（ｃ）に示すように、第２のバリアーパターンでは、画素行７の奇数行および偶数行において、画素行７に沿って第１の遮光部７６ａと第２の遮光部７６ｂとが交互に配置されている。つまり、各画素行７において、第１の遮光部７６ａと第２の遮光部７６ｂとは、サブ画素４に対して一つ置きに配置されている。また、画素列８の奇数列および偶数列において、第１の遮光部７６ａまたは第２の遮光部７６ｂが一列に配置されている。
【０１１７】
また、画素行７の奇数行および偶数行において、開口部７７から第１の画像を構成するサブ画素４Ｒからの光と第２の画像を構成するサブ画素４Ｌからの光とが射出される。したがって、画素行７の各行において、第１の画像と第２の画像とが視認される。
【０１１８】
図１３に示すように、第２のバリアーパターンを有するバリアー部５を備えた液晶装置１００では、各画素行７に沿ってサブ画素４Ｒとサブ画素４Ｌとが交互に繰り返し配置されており、各画素列８に沿ってサブ画素４Ｒまたはサブ画素４Ｌのいずれかが一列に配置されている。画素行７に沿った方向においては、第１の遮光部７６ａの配置ピッチおよび第２の遮光部７６ｂの配置ピッチは、サブ画素４の配置ピッチの２倍である。画素列８に沿った方向においては、第１の遮光部７６ａの配置ピッチおよび第２の遮光部７６ｂの配置ピッチは、サブ画素４の配置ピッチと同じである。なお、第２のバリアーパターンにおける表示角度範囲は、第１のバリアーパターンにおける表示角度範囲と同様である。
【０１１９】
＜第３のバリアーパターン＞
次に、第３のバリアーパターンについて、図１４および図１５を参照して説明する。図１４は、第３のバリアーパターンを有するバリアー部を示す図である。詳しくは、図１４（ａ）は図２中のＢ−Ｂ’線に沿った模式断面図であり、図１４（ｂ）は図２中のＣ−Ｃ’線に沿った模式断面図であり、図１４（ｃ）は図２中のＤ−Ｄ’線に沿った模式断面図である。また、図１５は、第３のバリアーパターンを有するバリアー部を備えた液晶装置の表示領域を観察側から見た平面図である。第３のバリアーパターンでは、第１の遮光部７６ａおよび第２の遮光部７６ｂの配置が第１のバリアーパターンおよび第２のバリアーパターンと異なっている。
【０１２０】
第３のバリアーパターンでは、図１４（ａ），（ｂ），（ｃ）に示すように、各画素行７に沿って第１の遮光部７６ａと第２の遮光部７６ｂとが交互に繰り返し配置されている。また、各画素列８に沿って第１の遮光部７６ａと第２の遮光部７６ｂとが交互に繰り返し配置されている。つまり、第１の遮光部７６ａと第２の遮光部７６ｂとは、千鳥格子状に配置されている。
【０１２１】
図１５に示すように、第３のバリアーパターンを有するバリアー部５を備えた液晶装置１００では、各画素行７に沿った方向に、サブ画素４Ｒとサブ画素４Ｌとが交互に配置されている。また、各画素列８に沿った方向には、サブ画素４Ｒとサブ画素４Ｌとが交互に配置されている。つまり、画素行７および画素列８に沿って、サブ画素４Ｒとサブ画素４Ｌとが交互に繰り返し配置されている。
【０１２２】
第１の遮光部７６ａと第２の遮光部７６ｂとは、画素行７の奇数行と偶数行とでサブ画素４の１ピッチ分ずれて配置されている。また、第１の遮光部７６ａと第２の遮光部７６ｂとは、画素列８の奇数列と偶数列とでサブ画素４の１ピッチ分ずれて配置されている。画素行７および画素列８に沿った方向において、第１の遮光部７６ａの配置ピッチおよび第２の遮光部７６ｂの配置ピッチはともにサブ画素４の配置ピッチの２倍である。第３のバリアーパターンにおける表示角度範囲は、第１のバリアーパターンにおける表示角度範囲および第２のバリアーパターンにおける表示角度範囲と同様である。なお、第３のバリアーパターンでは、さらに垂直解像度が向上する効果が得られる。
【０１２３】
なお、液晶装置１００は、上記３つのバリアーパターンが選択可能な構成であってもよいし、上記３つのバリアーパターンのいずれか一つを備えた構成であってもよい。バリアー部５において、電極５６（第１の電極部５６ａ、第２の電極部５６ｂ）と電極６４との間で、各バリアーパターンに応じた所定位置に選択的に電位差を発生させることにより、バリアーパターンが選択可能な構成とすることができる。
【０１２４】
また、上記３つのバリアーパターンのいずれか一つを備える構成とする場合は、電極５６（第１の電極部５６ａ、第２の電極部５６ｂ）が、そのバリアーパターンに対応する所定位置のみに選択的に形成され、電極６４がベタ状に形成されていてもよい。この場合、電極５６（第１の電極部５６ａ、第２の電極部５６ｂ）は一体で形成されていてもよい。
【０１２５】
ところで、バリアー部５は、非指向性表示モードにおいては視差バリアーとして機能しない状態となる。これは、指向性表示モードから非指向性表示モードに切り替わると、遮光部７６（第１の遮光部７６ａ，第２の遮光部７６ｂ）の発生が停止し、表示領域２の全域にわたって光が透過する状態になることを意味する。表示領域２の全域にわたって光が透過する状態にするためには、指向性表示モードから非指向性表示モードに切り替わった場合、電極５６（第１の電極部５６ａ、第２の電極部５６ｂ）の表面を覆う電気泳動粒子７４を移動させて分散媒７２中に分散させることが望ましい。
【０１２６】
液晶装置１００では、このように指向性表示モードから非指向性表示モードに切り替わった場合、例えば、電極５６（第１の電極部５６ａ、第２の電極部５６ｂ）の電位をフローティングさせるとともに、電極６４の電位を正と負とに交互に振りながら減衰させる。これにより、電気泳動粒子７４が電極５６（第１の電極部５６ａ、第２の電極部５６ｂ）の表面から移動して分散媒７２中に分散する。そして、分散媒７２に添加された揺変剤の揺変性により、電気泳動粒子７４が分散した状態が保持される。制御部８０は、このようにしてバリアー部５を駆動制御する。
【０１２７】
上記第１の実施形態に係るバリアー部５を備えた液晶装置１００によれば、以下の効果が得られる。
【０１２８】
（１）第１の遮光部７６ａと第２の遮光部７６ｂとを発生させることで、バリアー部５を視差バリアーとして機能させることができる。これにより、第１の画像と第２の画像とを互いに異なる表示角度範囲に指向性表示することができる。したがって、第１の画像と第２の画像とを異なる人物に同時に視認させることや、立体表示を行うことができる。
【０１２９】
（２）第１の遮光部７６ａと第２の遮光部７６ｂとが表示面１ａに対して傾斜して配置されているので、第１の画素または第２の画素に平面的に重なる開口部７７の幅が同じであっても、従来の構成に比べて開口部７７を通過する光の量を多くすることができる。これにより、第１の画像および第２の画像の双方が視認される表示角度範囲ＶＣを小さくするため開口部７７の幅を小さくしても、従来の構成よりも明るい表示を得ることができる。
【０１３０】
（３）第１の遮光部７６ａと第２の遮光部７６ｂとが表示面１ａに対して傾斜して配置されているので、第１の遮光部７６ａおよび第２の遮光部７６ｂの幅だけでなく傾斜角度によっても表示角度範囲ＶＲ，ＶＬ，ＶＣを制御できる。以上の結果、第１の遮光部７６ａと第２の遮光部７６ｂとが表示面１ａに平行に配置されている従来の構成に比べて、より高品質な指向性表示を得ることができる。
【０１３１】
（４）第１の遮光部７６ａと第２の遮光部７６ｂとを発生させないことで、バリアー部５の視差バリアーとしての機能を停止できる。このため、表示角度範囲を限定したり表示を暗くしたりすることなく、指向性のない２次元画像を表示することができる。これにより、指向性表示と非指向性表示とに適用可能な液晶装置１００を提供できる。
【０１３２】
＜液晶装置の製造方法＞
次に、第１の実施形態に係る液晶装置の製造方法について図を参照して説明する。図１６は、第１の実施形態に係る液晶装置の製造方法を説明するフローチャートである。
【０１３３】
図１６において、工程Ｐ１１および工程Ｐ１２は素子基板１０を製造する工程であり、工程Ｐ２１および工程Ｐ２２は対向基板３０を製造する工程である。工程Ｐ３１および工程Ｐ３２は、素子基板１０と対向基板３０とを組み合わせて液晶パネル１を製造する工程である。また、工程Ｐ４１、工程Ｐ４２、および工程Ｐ４３はバリアー部５を製造する工程である。
【０１３４】
工程Ｐ１１および工程Ｐ１２と、工程Ｐ２１および工程Ｐ２２と、工程Ｐ４１、工程Ｐ４２、および工程Ｐ４３と、はそれぞれ独立に行われる。工程Ｐ５１は、液晶パネル１にバリアー部５を貼り付ける工程である。工程Ｐ５２は、バリアー部５が貼り付けられた液晶パネル１に偏光板４４，４５を貼り付ける工程である。なお、これらの工程のうち詳述しない工程においては、公知の技術を適用することができる。
【０１３５】
まず、素子基板１０を製造する工程と対向基板３０を製造する工程とを説明する。工程Ｐ１１では、基板１１上にＴＦＴ素子２０、絶縁層２２、絶縁層２４、画素電極１６等を形成する。
【０１３６】
続いて、工程Ｐ１２では、これらの素子、電極等が形成された素子基板１０の表面に配向膜２８を形成し、配向膜２８の表面に配向処理を施す。
【０１３７】
次に、工程Ｐ２１では、基板３１上に遮光層３２、カラーフィルター層３４、オーバーコート層３５、共通電極１８等を形成する。続いて、工程Ｐ２２では、対向基板３０の表面に配向膜３６を形成し、配向膜３６の表面に配向処理を施す。
【０１３８】
次に、工程Ｐ３１では、素子基板１０と対向基板３０との貼り合わせを行う。貼り合わせは、素子基板１０または対向基板３０にシール剤４１を塗布し、アライメントをした後、素子基板１０と対向基板３０とを接触させ、圧着して行われる。続いて、工程Ｐ３２では、シール剤４１の開口部（注入口）から素子基板１０と対向基板３０との間に液晶を注入し、注入口を封止する。以上により、液晶パネル１が製造される。
【０１３９】
＜バリアー部の製造方法＞
次に、バリアー部５を製造する工程を説明する。図１７は、第１の実施形態に係るバリアー部５の製造方法を説明する図である。なお、図１７では、図４と同様に図２中のＢ−Ｂ’線で示す画素行７に沿った方向の断面を示している。
【０１４０】
工程Ｐ４１では、基板５２上に透光層５４を形成する。この工程Ｐ４１では、まず、図１７（ａ）に示すように、基板５２上に、例えばＵＶ硬化型の透光性を有する樹脂をスピンコート法やラミネート法等を用いて塗布し、樹脂膜５３を形成する。続いて、硬化する前の樹脂膜５３に第１の傾斜面５４ａと第２の傾斜面５４ｂとに対応する傾斜面が設けられた金型を押し当てた状態で、基板５２側から紫外領域の光を照射して樹脂膜５３を硬化させる。これにより、図１７（ｂ）に示すように、第１の傾斜面５４ａと第２の傾斜面５４ｂとを有する透光層５４が形成される。
【０１４１】
次に、工程Ｐ４２では、透光層５４の表面に電極５６を形成する。この工程Ｐ４２では、まず、図１７（ｃ）に示すように、透光層５４の表面に透光性を有する導電材料からなる導電膜５５を形成する。次に、図１７（ｄ）に示すように、フォトリソグラフィ法を用いて、導電膜５５をパターニングする。これにより、透光層５４上に第１の電極部５６ａと第２の電極部５６ｂとを有する電極５６が形成される。また、図示を省略するが、基板６２上に電極６４を形成する。工程Ｐ４１および工程Ｐ４２により、基板５０と基板６０とが形成される。
【０１４２】
次に、工程Ｐ４３では、基板５０または基板６０にシール部材７１を配置し、電気泳動粒子７４と分散媒７２とを含む電気泳動層７０を、基板５０、基板６０、およびシール部材７１によって囲まれる空間に配置して、ＵＶ硬化型の接着剤等により封止する。これにより、バリアー部５が製造される。
【０１４３】
次に、工程Ｐ５１では、ＵＶ硬化型の透光性を有する接着剤等により、液晶パネル１の対向基板３０にバリアー部５を貼り付ける。これにより、バリアー部５が、液晶パネル１（対向基板３０）の観察側の表面に接着固定される。続いて、工程Ｐ５２では、素子基板１０の外側に偏光板４４を、バリアー部５の外側に偏光板４５を、それぞれ貼り付ける。以上により液晶装置１００が完成する。
【０１４４】
（第２の実施形態）
＜バリアー部＞
次に、第２の実施形態に係る液晶装置の構成について図を参照して説明する。第２の実施形態に係る液晶装置は、第１の実施形態に係る液晶装置に対して、バリアー部の構成が異なっているが、その他の構成は同じである。したがって、ここでは、第２の実施形態に係るバリアー部の構成について説明する。第１の実施形態と共通する構成要素については、同一の符号を付しその説明を省略する。
【０１４５】
図１８は、第２の実施形態に係る液晶装置の構成を説明する図である。詳しくは、図２中のＢ−Ｂ’線で示す画素行７に沿った方向の断面図であり、バリアー部の構成を示す図である。図１９は、第２の実施形態に係るバリアー部の構成を説明する断面図である。詳しくは、図１９（ａ），（ｂ），（ｃ）は、第２の実施形態に係るバリアー部が視差バリアーとして機能している状態を示す図である。図１９（ａ）は図１８に対応する模式断面図であり、図１９（ｂ）は図２中のＣ−Ｃ’線に沿った模式断面図であり、図１９（ｃ）は図２中のＤ−Ｄ’線に沿った模式断面図である。なお、図１９（ａ），（ｂ），（ｃ）では、バリアー部の要部以外の構成要素の図示を省略している。
【０１４６】
図１８に示すように、第２の実施形態に係る液晶装置２００は、液晶パネル１と、バリアー部９と、バックライト４６（図１参照）と、を備えている。バリアー部９は、基板５０ａと基板６０とを有している。基板５０ａは、基板５２を基体として構成されており、基板５２上に、透光層５４と電極５６とを備えている。透光層５４には、表示面１ａに対して傾斜した、第１の傾斜面５４ａと第２の傾斜面５４ｂ（図１９（ｂ）参照）とが形成されている。
【０１４７】
さらに、透光層５４には、第１の傾斜面５４ａ（または第２の傾斜面５４ｂ）の基板５２とは反対側の端部に、平面視でサブ画素４の画素列８に沿った一辺に重なり、表示面１ａの法線方向に沿う壁部５４ｃが形成されている。つまり、第１の傾斜面５４ａはサブ画素４Ｒの領域に平面的に重なり、第２の傾斜面５４ｂはサブ画素４Ｌの領域に平面的に重なっており、この点が第１の実施形態と異なっている。
【０１４８】
指向性表示モードにおいて、電気泳動粒子７４が第１の電極部５６ａと第２の傾斜面５４ｂとの表面を覆うことにより、図１９（ａ），（ｂ），（ｃ）に示すように、第１の遮光部７６ａと第２の遮光部７６ｂとが発生する。バリアー部９のバリアーパターンは、第１の実施形態における第１のバリアーパターンと同じである。ただし、第２の実施形態に係るバリアー部９では、第１の遮光部７６ａはサブ画素４Ｒの領域に平面的に重なり、第２の遮光部７６ｂはサブ画素４Ｌの領域に平面的に重なっており、この点が第１の実施形態と異なっている。
【０１４９】
画素行７の奇数行においては、第１の画像を構成するサブ画素４Ｒからの光が壁部５４ｃから開口部７７を通過して射出され、画素行７の偶数行においては、第２の画像を構成するサブ画素４Ｌからの光が壁部５４ｃから開口部７７を通過して射出される。したがって、画素行７の奇数行においては第１の画像が視認され、画素行７の偶数行においては第２の画像が視認される。
【０１５０】
続いて、第２の実施形態に係るバリアー部９による指向性表示の表示角度範囲について、図２０および図２１を参照して説明する。図２０および図２１は、第２の実施形態に係るバリアー部９による表示角度範囲を説明する図である。詳しくは、図２０（ａ）および図２１（ａ）は、画素行７の奇数行におけるバリアー部９を模式的に示す断面図である。図２０（ｂ）および図２１（ｂ）は、画素行７の偶数行におけるバリアー部９を模式的に示す断面図である。なお、ここでは、バリアー部９の要部以外の構成要素の図示を省略している。
【０１５１】
図２０（ａ）に示す奇数行における表示角度範囲３Ｒの境界３ｂ、および図２０（ｂ）に示す偶数行における表示角度範囲３Ｌの境界３ａは壁部５４ｃに沿った方向、すなわち表示面１ａの法線方向となる。つまり、サブ画素４Ｒ，４Ｌから表示面１ａの法線方向に射出される光は、第１の遮光部７６ａと第２の遮光部７６ｂとでほぼ遮断される。このため、表示角度範囲３Ｒと表示角度範囲３Ｌとが重なる表示角度範囲ＶＣはほぼゼロとなる。また、サブ画素４Ｒからの光のみが視認される表示角度範囲ＶＲと、サブ画素４Ｌからの光のみが視認される表示角度範囲ＶＬとは、それぞれ表示角度範囲３Ｒ，３Ｌとほぼ等しくなる。
【０１５２】
このように、第２の実施形態に係るバリアー部９では、第１の実施形態に係るバリアー部５に比べて、表示角度範囲ＶＣはほぼゼロとなり、表示角度範囲ＶＲと表示角度範囲ＶＬとは大きくなる。したがって、第２の実施形態に係るバリアー部９は、第１の実施形態に係るバリアー部５に比べて、第１の画像と第２の画像とを異なる人物に同時に視認させる液晶装置に適している。
【０１５３】
ところで、遮光部が表示面に平行に配置されている視差バリアーにおいて、第１の画像および第２の画像の双方が視認される表示角度範囲をなくすためには、開口部の幅を対向基板の遮光層の幅以下に設定することとなる。このような構成では、開口部を通過して観察側に向かう光の量はわずかなものとなってしまう。
【０１５４】
本実施形態のバリアー部９の構成によれば、第１の遮光部７６ａと第２の遮光部７６ｂとが表示面１ａに対して傾斜して配置されているので、サブ画素４Ｒ，４Ｌから射出される光のうち第１の遮光部７６ａおよび第２の遮光部７６ｂに遮られることなく開口部７７を通過する光の量は、遮光部が表示面に平行に配置されている視差バリアーに比べて格段に多くなる。したがって、本実施形態のバリアー部９の構成によれば、第１の画像および第２の画像の双方が視認される表示角度範囲を限りなくゼロに近づけても、遮光部が表示面に平行に配置されている場合よりも格段に明るい表示を得ることができる。
【０１５５】
次に、本実施形態のバリアー部９における表示角度範囲ＶＲ，ＶＬを簡易的に算出してみる。図２０において、サブ画素４の画素行７方向における幅Ｗを、例えば７２．５μｍとし、バリアー部９の実質的な厚さＨ１を幅Ｗの１／２、すなわち３６．２５μｍとする。図２０（ａ）に示す奇数行における表示角度範囲３Ｒの境界３ｂ、および図２０（ｂ）に示す偶数行における表示角度範囲３Ｌの境界３ａは、表示面１ａの法線方向である。
【０１５６】
このような構成によれば、図２０（ａ）において、サブ画素４Ｒから射出された光が第１の遮光部７６ａによって遮られない境界３ａと表示面１ａとがなす角度θ３は、１４°となる。図２０（ｂ）においては、境界３ｂと表示面１ａとがなす角度が角度θ３（１４°）となる。表示角度範囲３Ｒ，３Ｌは、それぞれ１８０°−（θ３＋９０°）で求められ、ともに７６°となる。表示角度範囲ＶＲ，ＶＬは、表示角度範囲３Ｒ，３Ｌと同じであり、ともに７６°となる。表示角度範囲ＶＣは、０°となる。したがって、第１の実施形態のバリアー部５に比べて、表示角度範囲ＶＣはゼロとなり、表示角度範囲ＶＲと表示角度範囲ＶＬとは大きくなる。
【０１５７】
ここで、厚さＨ１を小さくして角度θ３をより小さくすれば、表示角度範囲ＶＣが０°のままで、表示角度範囲ＶＲ，ＶＬ（表示角度範囲３Ｒ，３Ｌ）は大きくなる。例えば、図２１で、幅Ｗを７２．５μｍとし、バリアー部９ａの実質的な厚さＨ２を図２０における厚さＨ１の略１／２の１８μｍとする。この場合、図２１（ａ）における境界３ａと表示面１ａとがなす角度θ４は、図２０における角度θ３の略１／２の７．１°となる。したがって、表示角度範囲ＶＲ，ＶＬ（表示角度範囲３Ｒ，３Ｌ）は、ともに８２．９°となり、図２０における場合よりも大きくなる。
【０１５８】
＜バリアー部の製造方法＞
次に、第２の実施形態に係るバリアー部の製造方法について図を参照して説明する。図２２は、第２の実施形態に係るバリアー部の製造方法を説明する図である。第２の実施形態に係るバリアー部の製造方法は、第１の実施形態に係るバリアー部の製造方法と同様の工程を備えている。ただし、基板の構成が一部異なっている。
【０１５９】
図２２（ａ）に示すように、第１の実施形態と同様にして、基板５２上に樹脂膜５３を形成する。続いて、図２２（ｂ）に示すように、第１の実施形態と同様にして、第１の傾斜面５４ａと第２の傾斜面５４ｂ（図示しない）と壁部５４ｃを有する透光層５４を形成する。次に、図２２（ｃ）に示すように、透光層５４の表面に透光性を有する導電膜５５を形成する。次に、図２２（ｄ）に示すように、壁部５４ｃ表面の導電膜５５を除去する。これにより、透光層５４上に電極５６（第１の電極部５６ａ）が形成される。以上により、バリアー部９が備える第１の基板としての基板５０ａが製造される。
【０１６０】
（電子機器）
上述した液晶装置１００，２００は、例えば、図２３に示すような電子機器としてのカーナビゲーションシステム用の表示装置５００に搭載して用いることができる。この表示装置５００は、表示部５１０に組み込まれた液晶装置１００，２００によって、２つの画像を異なる表示角度範囲に指向性表示することができる。例えば、運転席側に地図の画像を表示するとともに、助手席側に映画の画像を表示することができる。その際、画像が混在する表示範囲を小さくしても明るい表示を行うことができる。
【０１６１】
なお、液晶装置１００，２００は、上記表示装置５００の他、モバイルコンピューター、デジタルカメラ、デジタルビデオカメラ、車載機器、オーディオ機器等の各種電子機器に用いることができる。
【０１６２】
以上、本発明の実施形態について説明したが、上記実施形態に対しては、本発明の趣旨から逸脱しない範囲で様々な変形を加えることができる。変形例としては、例えば以下のようなものが考えられる。
【０１６３】
（変形例１）
上記実施形態の液晶装置が備えるバリアー部では、指向性表示モードにおいて各サブ画素に遮光部が配置されていたが、この形態に限定されない。遮光部は、画素行および画素列に配列されたサブ画素のうちの所定のサブ画素に対して選択的に配置されていてもよい。
【０１６４】
図２４は、変形例１に係るバリアーパターンを示す図である。図２４に示すように、変形例１に係るバリアーパターンでは、例えば、画素行７における中央部において複数の画素列８にわたってサブ画素４に重なる遮光部７６が配置されておらず、これらの画素列８以外の画素列８に遮光部７６（第１の遮光部７６ａ，第２の遮光部７６ｂ）が選択的に配置されている。これらの遮光部７６が配置されていない画素列８以外の画素列８においては、例えば、画素行７の奇数行に沿って第１の遮光部７６ａが一列に配置されており、画素行７の偶数行に沿って第２の遮光部７６ｂが一列に配置されている。
【０１６５】
したがって、遮光部７６が配置されていない画素列８に位置するサブ画素４では指向性表示モードにおいても非指向性表示が行われ、これらの画素列８以外の画素列８に位置するサブ画素４で指向性表示が行われる。つまり、変形例１に係るバリアーパターンでは、指向性表示モードにおいて、指向性表示に寄与する画素６Ｒ，６Ｌと、指向性表示に寄与しない画素６とが混在することとなる。
【０１６６】
変形例１に係るバリアーパターンによれば、例えば、画素６Ｒから射出される光で構成される第１の画像、および画素６Ｌから射出される光で構成される第２の画像に加えて、指向性表示に寄与しない画素６から射出される光で第３の画像を構成することができる。このような構成によれば、第１の画像と第２の画像と第３の画像とをそれぞれ異なる人物に同時に視認させることができる。また、第１の画像と第２の画像とで立体（３次元）画像を構成し、第３の画像で平面（２次元）画像を構成すれば、立体画像と平面画像とを同時に表示させることができる。
【０１６７】
変形例１に係るバリアーパターンは、例えば、上記実施形態のバリアー部５，９において、遮光部７６を配置しないサブ画素４に重なる電極５６（第１の電極部５６ａ，第２の電極部５６ｂ）と電極６４との間に電位差を発生させないことで実現できる。また、バリアー部５，９において、遮光部７６を配置しないサブ画素４に重なる電極５６を設けない構成としてもよい。
【０１６８】
（変形例２）
上記実施形態のバリアー部では、第１の遮光部および第２の遮光部の画素行に沿った方向における幅は同一であったが、この形態に限定されない。第１の遮光部および第２の遮光部の画素行に沿った方向における幅が、画素行における中央部から離れるにしたがって小さくなる構成を有していてもよい。
【０１６９】
図２５は、変形例２に係るバリアー部の構成を模式的に示す断面図である。図２５において、１点鎖線Ｍ−Ｍ’は、液晶パネル１の表示領域２において、画素行７方向における表示面１ａの中央部を示している。
【０１７０】
図２５に示すように、変形例２に係るバリアー部９ｂは、画素行７に沿って配列されたサブ画素４Ｒ（１），４Ｒ（２），４Ｒ（３），４Ｒ（４）・・・に対応して、透光層５４の第１の傾斜面５４ａ上に形成された第１の電極部５６ａ（図示しない）の表面に第１の遮光部７６ａ（１），７６ａ（２），７６ａ（３），７６ａ（４）・・・を有している。バリアー部９ｂでは、第１の電極部５６ａの画素行７方向における幅が、画素行７方向における中央部（１点鎖線Ｍ−Ｍ’）から離れるにしたがって小さくなる構成を有している。
【０１７１】
したがって、第１の遮光部７６ａ（２），７６ａ（３），７６ａ（４）・・・では、１点鎖線Ｍ−Ｍ’側に位置する第１の遮光部７６ａ（１）の幅よりも図中右隣に位置する第１の遮光部７６ａ（２）の幅の方が小さく、第１の遮光部７６ａ（２）の右隣に位置する第１の遮光部７６ａ（３）の幅の方がさらに小さく、第１の遮光部７６ａ（３）の右隣に位置する第１の遮光部７６ａ（４）の幅の方がさらに小さくなっている。
【０１７２】
図示を省略するが、バリアー部９ｂの１点鎖線Ｍ−Ｍ’を間に挟んで左側には、１点鎖線Ｍ−Ｍ’の右側とは対称に第１の遮光部７６ａ（２），７６ａ（３），７６ａ（４）・・・が順に配置されている。また、第１の遮光部７６ａ（１），７６ａ（２），７６ａ（３），７６ａ（４）・・・は、画素行７方向において略同一ピッチで配置されており、その配置ピッチはサブ画素４Ｒ（１），４Ｒ（２），４Ｒ（３），４Ｒ（４）・・・の配置ピッチよりも僅かに小さい。
【０１７３】
変形例２に係るバリアー部９ｂでは、第１の遮光部７６ａ（１），７６ａ（２），７６ａ（３），７６ａ（４）・・・の幅が中央部（１点鎖線Ｍ−Ｍ’）から離れるにしたがって小さくなるので、サブ画素４Ｒ（１），４Ｒ（２），４Ｒ（３），４Ｒ（４）・・・から射出される光の表示角度範囲は中央部（１点鎖線Ｍ−Ｍ’）から離れるにしたがって大きくなる。このため、サブ画素４Ｒ（１），４Ｒ（２），４Ｒ（３），４Ｒ（４）・・・から射出される光によって構成される第１の画像を適視できる視点ＶＰの表示面１ａからの距離をより短くできる。
【０１７４】
なお、バリアー部９ｂは、第１の遮光部７６ａ（１），７６ａ（２），７６ａ（３），７６ａ（４）・・・とは対向する向きに傾斜する第２の遮光部を有しており、第２の遮光部についても第１の遮光部７６ａ（１），７６ａ（２），７６ａ（３），７６ａ（４）・・・と同様に、画素行７に沿った方向における幅が、画素行７方向における中央部（１点鎖線Ｍ−Ｍ’）から離れるにしたがって小さくなる構成を有している。
【０１７５】
変形例２に係るバリアー部９ｂの構成によれば、例えば、カーナビゲーションシステム用の表示装置５００において、運転席側および助手席側において画像を適視できる視点を表示面からより近い位置に設定できる。
【０１７６】
（変形例３）
上記実施形態のバリアー部では、第１の遮光部の表示面に対する傾斜角度と、第２の遮光部の表示面に対する傾斜角度とが同じであったが、この形態に限定されない。第１の遮光部の表示面に対する傾斜角度と、第２の遮光部の表示面に対する傾斜角度とが互いに異なる構成を有していてもよい。
【０１７７】
図２６は、変形例３に係るバリアー部の構成を模式的に示す断面図である。図２６（ａ）に示すように、変形例３では、画素行７の奇数行においては図２１（ａ）に示すバリアー部９ａの構成を有している。また、図２６（ｂ）に示すように、画素行７の偶数行においては図２０（ｂ）に示すバリアー部９の構成を有している。
【０１７８】
このため、画素行７の偶数行における表示角度範囲３Ｌ（ＶＬ）は、画素行７の奇数行における表示角度範囲３Ｒ（ＶＲ）よりも小さい。したがって、第２の画像が視認される角度範囲は、第１の画像が視認される角度範囲よりも小さい。
【０１７９】
変形例３に係るバリアー部の構成によれば、例えば、カーナビゲーションシステム用の表示装置５００において、助手席側に表示する映画の画像が視認される角度範囲を、運転席側に表示する地図の画像が視認される角度範囲よりも小さくすることができる。
【０１８０】
（変形例４）
第２の実施形態のバリアー部では、第１の電極と第２の電極とが対向配置されていたが、この形態に限定されない。第２の電極が、第１の電極と同じ基板上に設けられていてもよい。
【０１８１】
図２７は、変形例４に係るバリアー部９ｃの構成を模式的に示す断面図である。図２７に示すように、変形例４に係るバリアー部９ｃでは、第２の電極としての電極５８が透光層５４の壁部５４ｃの表面に設けられている。電極５８は、図２２（ｃ）において、導電膜５５をパターニングする際に、壁部５４ｃの表面の導電膜５５を第１の傾斜面５４ａの表面の導電膜５５と分断させることで形成することができる。
【０１８２】
指向性表示モードにおいては、制御部８０により、電極５６（第１の電極部５６ａ、第２の電極部５６ｂ）が電気泳動粒子７４と異なる極性となり、電極５８が電気泳動粒子７４と同じ極性となるように電圧が印加される。そうすると、図１９（ａ），（ｂ）と同様に、電極５６（第１の電極部５６ａ、第２の電極部５６ｂ）の表面を覆う電気泳動粒子７４によって、第１の遮光部７６ａと第２の遮光部７６ｂとが構成される。
【０１８３】
非指向性表示モードにおいては、制御部８０により、電極５６（第１の電極部５６ａ、第２の電極部５６ｂ）が電気泳動粒子７４と同じ極性となり、電極５８が電気泳動粒子７４と異なる極性となるように電圧が印加される。そうすると、電気泳動粒子７４は電極５８の表面を覆い、これらの電気泳動粒子７４によって第３の遮光部７６ｃが構成される。
【０１８４】
ここで、第３の遮光部７６ｃは平面視で遮光層３２に重なるので、サブ画素４から射出される光は壁部５４ｃを通過しないが電極５６（第１の電極部５６ａ、第２の電極部５６ｂ）を通過して観察側に向かう。つまり、バリアー部９ｂは視差バリアーとして機能しない状態となる。このような構成であっても、上記実施形態と同様に、指向性表示と非指向性表示とに適用する液晶装置を実現することができる。
【０１８５】
（変形例５）
上記の実施形態のバリアー部では、電気泳動層７０がシール部材７１で囲まれた領域内で複数のサブ画素４にわたって配置されていたが、この形態に限定されない。電気泳動層７０は、透光性を有する樹脂等によりサブ画素４毎に区切られた領域内に配置されていてもよいし、マイクロカプセル内に封入されてサブ画素４毎に配置されていてもよい。このような構成によれば、複数のサブ画素４の間で電気泳動粒子７４が移動することがないので、各サブ画素４の領域における電気泳動粒子７４の密度をより均一にできる。これにより、複数のサブ画素４の間で、指向性表示モードにおける遮光部７６の遮光性、および非指向性表示モードにおける透光性のばらつきが抑えられる。
【０１８６】
（変形例６）
上記の実施形態のバリアー部では、基板５０は基板５２を基材として構成されていたが、この形態に限定されない。基板５０は、対向基板３０の基板３１を基材として構成されていてもよい。図示は省略するが、変形例６に係るバリアー部では、第１の基板として基板３１を用いており、基板３１上に透光層５４と電極５６とが設けられている。
【０１８７】
このような構成によれば、表示面１ａと遮光部７６との間に基板５２が介在しないので遮光部７６により表示角度範囲ＶＲ，ＶＬ，ＶＣを容易に制御できるとともに、透光層５４と基板５２との界面、および表示面１ａと基板５２との界面において、屈折率の差異に起因する光の反射や散乱を排除できる。また、上記実施形態よりも基板が１枚少なくなるので、液晶装置１００，２００の総厚を薄くすることができる。
【０１８８】
（変形例７）
上記の実施形態では、バリアー部の光学調整層として電気泳動粒子７４と分散媒７２とを含む電気泳動層７０を用いていたが、この形態に限定されない。バリアー部は、電子制御により所定の位置に遮光部を発生させることが可能であれば、他の光学調整層を有する構成であってもよい。
【０１８９】
（変形例８）
上記の実施形態では、液晶装置はＴＮ方式の透過型の液晶装置であったが、この形態に限定されない。液晶装置は、ＴＮ方式と同様に素子基板と対向基板との間に生じる縦電界により液晶分子の配向制御を行う、ＶＡ（Vertical Alignment）方式やＥＣＢ（Electrically Controlled Birefringence）方式等の液晶装置であってもよい。また、液晶装置は、横電界により液晶分子の配向制御を行う、ＦＦＳ（Fringe-Field Switching）方式やＩＰＳ（In-Plane Switching）方式の液晶装置であってもよい。さらに、液晶装置は、透過表示領域と反射表示領域とを有する半透過反射型の液晶装置であってもよい。これらの液晶装置であっても、上記実施形態の液晶装置の構成、および液晶装置の製造方法を適用することができる。
【０１９０】
（変形例９）
上記の実施形態では、電気光学装置は液晶装置であったが、この形態に限定されない。電気光学装置は、有機エレクトロルミネセンス素子（有機ＥＬ素子）を備えた有機エレクトロルミネセンス装置（有機ＥＬ装置）やプラズマ表示素子を備えたプラズマディスプレイ装置等であってもよい。これらの電気光学装置であっても、上記実施形態の電気光学装置の構成、および電気光学装置の製造方法を適用することができる。
【図面の簡単な説明】
【０１９１】
【図１】第１の実施形態に係る液晶装置の構成を示す図。
【図２】第１の実施形態に係る液晶装置の表示領域の拡大平面図。
【図３】第１の実施形態に係る液晶装置の構成を説明する図。
【図４】第１の実施形態に係る液晶装置の構成を説明する図。
【図５】観察側から見たバリアー部の電極の構成を示す平面図。
【図６】観察側から見たバリアー部の電極の構成を示す平面図。
【図７】制御部の概略構成を示すブロック図。
【図８】第１のバリアーパターンを有するバリアー部を示す図。
【図９】第１のバリアーパターンを有するバリアー部を示す図。
【図１０】第１のバリアーパターンを有するバリアー部を備えた液晶装置の表示領域を観察側から見た平面図。
【図１１】第１の実施形態に係る液晶装置の表示角度範囲を説明する図。
【図１２】第２のバリアーパターンを有するバリアー部を示す図。
【図１３】第２のバリアーパターンを有するバリアー部を備えた液晶装置の表示領域を観察側から見た平面図。
【図１４】第３のバリアーパターンを有するバリアー部を示す図。
【図１５】第３のバリアーパターンを有するバリアー部を備えた液晶装置の表示領域を観察側から見た平面図。
【図１６】第１の実施形態に係る液晶装置の製造方法を説明するフローチャート。
【図１７】第１の実施形態に係るバリアー部の製造方法を説明する図。
【図１８】第２の実施形態に係るバリアー部の構成を説明する断面図。
【図１９】第２の実施形態に係るバリアー部の構成を説明する断面図。
【図２０】第２の実施形態に係るバリアー部による表示角度範囲を説明する図。
【図２１】第２の実施形態に係るバリアー部による表示角度範囲を説明する図。
【図２２】第２の実施形態に係るバリアー部の製造方法を説明する図。
【図２３】電子機器としての表示装置を示す図。
【図２４】変形例１に係るバリアーパターンを示す図。
【図２５】変形例２に係るバリアー部の構成を模式的に示す断面図。
【図２６】変形例３に係るバリアー部の構成を模式的に示す断面図。
【図２７】変形例４に係るバリアー部の構成を模式的に示す断面図。
【図２８】指向性表示が可能な電気光学装置の模式断面図。
【符号の説明】
【０１９２】
１…液晶パネル、１ａ…表示面、２…表示領域、３Ｌ，３Ｒ，ＶＬ，ＶＲ…表示角度範囲、４…サブ画素、５，９…バリアー部、６…画素、６Ｌ…第２の画素、６Ｒ…第１の画素、７…画素行、８…画素列、１０…素子基板、１１…基板、１６…画素電極、１８…共通電極、２０…ＴＦＴ素子、２０ａ…半導体層、２０ｄ…ドレイン電極、２０ｇ…ゲート電極、２０ｓ…ソース電極、２２…絶縁層、２４…絶縁層、２８…配向膜、３０…対向基板、３１…基板、３２…遮光層、３４…カラーフィルター層、３５…オーバーコート層、３６…配向膜、４０…液晶層、４４，４５…偏光板、４６…バックライト、５０…基板、５２…基板、５４…透光層、５４ａ…第１の傾斜面、５４ｂ…第２の傾斜面、５４ｃ…壁部、５６…電極、５８…電極、６０…基板、６２…基板、６４…電極、７０…電気泳動層、７１…シール部材、７２…分散媒、７４…電気泳動粒子、７６…遮光部、７６ａ…第１の遮光部、７６ｂ…第２の遮光部、７６ｃ…第３の遮光部、７７…開口部、８０…制御部、８１…ＣＰＵ、８２…ユーザーインターフェース処理部、８３…操作パネル、８４…リモートコントローラー、８５…画像処理部、８６…入力インターフェース部、８７…第１駆動回路、８８…第２駆動回路、１００…液晶装置、５００…表示装置、５１０…表示部。
【図１】
2010169721.tif 000003
【図２】
2010169721.tif 000004
【図３】
2010169721.tif 000005
【図４】
2010169721.tif 000006
【図５】
2010169721.tif 000007
【図６】
2010169721.tif 000008
【図７】
2010169721.tif 000009
【図８】
2010169721.tif 000010
【図９】
2010169721.tif 000011
【図１０】
2010169721.tif 000012
【図１１】
2010169721.tif 000013
【図１２】
2010169721.tif 000014
【図１３】
2010169721.tif 000015
【図１４】
2010169721.tif 000016
【図１５】
2010169721.tif 000017
【図１６】
2010169721.tif 000018
【図１７】
2010169721.tif 000019
【図１８】
2010169721.tif 000020
【図１９】
2010169721.tif 000021
【図２０】
2010169721.tif 000022
【図２１】
2010169721.tif 000023
【図２２】
2010169721.tif 000024
【図２３】
2010169721.tif 000025
【図２４】
2010169721.tif 000026
【図２５】
2010169721.tif 000027
【図２６】
2010169721.tif 000028
【図２７】
2010169721.tif 000029
【図２８】
2010169721.tif 000030